(57)【要約】多機能携帯電話は内蔵されたまたは外部に連結されたデバイスモニターを通じて聴覚および視覚検査を実行し、体温および環境温度、心臓拍動、肺呼吸、心臓および肺補聴、糖レベル、血圧などのデータを測定し、収集し、臨床的評価のために身体の写真像を撮り、音出力指示を通じてスクリーンで表示し、再生して、診断検査およびリハビリ治療を行い、検査および処理のためのプログラムを保存し、更新し、および携帯電話ネットワークを用いる遠隔医療専門家と通信する。
2005519686.tif 000002
【特許請求の範囲】
【請求項１】
聴視覚検査を行い、体温および環境温度を測定し、心臓拍動速度および肺呼吸速度をモニターし、心臓および肺聴診、補聴器、耳鳴マスカーを行い、マスカーの機能、補聴器についての遠隔制御を行い、医療的調査のための身体の写真イメージを撮り、次いで、特殊なプログラムを供して、医療的診断およびリハビリで用いられる外部デバイスを制御する携帯電話。
【請求項２】
医療的診断およびリハビリのためのソフトウエアプログラムが工場に保存されるか、または携帯電話のメモリーにロードされ、携帯電話ネットワークまたはインターネットから、かつ赤外線リンク、超音波リンクまたは外部源からのケーブルを通じて更新される請求項１に記載の携帯電話。
【請求項３】
携帯電話プログラムによって制御された医療検査の結果および該検査結果からの患者についての推奨が携帯電話スクリーンに表示され、携帯電話の音の出力を通じて言語形態で再生されるか、あるいはさらなるケース管理についての医療専門家へのネットワークを介して転送される請求項１または２に記載の携帯電話。
【請求項４】
携帯電話のオーディオおよびビデオチャネルが、携帯電話メモリーに保存された検査プログラムに従って聴視覚検査を行う請求項１、２または３に記載の携帯電話。
【請求項５】
周波数および強度が、較正された複数の音の検査刺激がインサートイヤホン、チューブホン、上耳カプラー、インサート耳カプラー、携帯電話スピーカー、または音場状態の検査された耳から特定の距離に置かれた外部連結スピーカーによって直接耳に出力された携帯電話から送達される請求項１、２に記載の携帯電話。
【請求項６】
インサートイヤホンに、携帯電話と一緒に較正用の携帯ネットワークからのイヤホン特性データを得ることができるようにする特殊数字またはバーコードが設けられた請求項５に記載の携帯電話。
【請求項７】
キーパッドを通じてキー入力された、またはネットワークから得られたインサートイヤホン特性データを用いて、イヤホンと一緒に携帯電話を較正する請求項５に記載の携帯電話。
【請求項８】
音検査刺激をキーパッドを用いて構成する請求項１、２または３に記載の携帯電話。
【請求項９】
音刺激の強度を聴覚閾値レベルを参照して較正する請求項１、２または３に記載の携帯電話。
【請求項１０】
音検査刺激のタイプ、周波数および強度の選択が、キーボードおよびスクリーンに表示されたその値を操作することによって行われる請求項１、２または３に記載の携帯電話。
【請求項１１】
音検査刺激が、キーパッドキーまたは別の内臓されたまたは外部に連結されたキーを押すことによって「スイッチが入れられる」請求項１、２または３に記載の携帯電話。
【請求項１２】
周波数および強度スケールを示すオーディオグラムが携帯電話スクリーンに表示され、音検査刺激の周波数および強度の選択がキーパッドを通じてオペレーターによって制御された電子ポインターによってなされる請求項１、２または３に記載の携帯電話。
【請求項１３】
音検査刺激に対する検査された個人の回答が携帯電話メモリーに記録され、自己検査手法でこの個人によって、またはもう１人の個人についての聴覚検査を行う検査者によってキーパッドまたは別の特殊なキーを操作することによってスクリーン上に表示される請求項１、２または３に記載の携帯電話。
【請求項１４】
音検査刺激の周波数および強度の変更が、携帯電話メモリーに保存されたプログラムに従い、キーを押して肯定的回答を記録して自動的になされる請求項１、２または３に記載の携帯電話。
【請求項１５】
携帯電話の音量制御を用いて、音レベルメーターで耳入口に近い音強度レベルを測定することによって、音場検査状態の音検査刺激の強度を設定する請求項１、２または３に記載の携帯電話。
【請求項１６】
音レベルメーターが、携帯電話に、耳および携帯電話音出力の間の与えられた距離に対して音検査刺激の強度を自動的に較正するためのフィードバックシグナルを供する請求項１、２または３に記載の携帯電話。
【請求項１７】
携帯電話に内蔵された、または付着された距離測定伸縮自在ロッドまたはテープが、携帯電話音出力および検査された耳の間の距離を測定する請求項１、２または３に記載の携帯電話。
【請求項１８】
距離測定ロッドの先端に内蔵され、かつ耳近くに置かれた小型マイクロホンが、携帯電話に付着された、または内蔵された音レベルメーターにフィードバックシグナルを供して、音検査刺激の強度の手動または自動較正を行う請求項１、２または３に記載の携帯電話。
【請求項１９】
携帯電話に内蔵された、付着された、または耳入口に近接して置かれた距離測定センサーが、携帯電話によって送達された音検査刺激の強度が音場状態で聴覚閾値レベルを参照して較正される、耳および携帯電話音出力の間の特定の距離を示す請求項１、２または３に記載の携帯電話。
【請求項２０】
距離測定センサーが、検査音が、音場検査において耳および携帯音出力の間の特定の距離においてのみスイッチを入れられるようにする請求項１、２または１５に記載の携帯電話。
【請求項２１】
携帯電話メモリーに保存された言語が異なる音強度レベルで再生され、検査された個人がそれを言葉で反復し、またはそれをキーボードを介して入力し、検査プログラムによって評価させる請求項１、２または３に記載の携帯電話。
【請求項２２】
スクリーンに表示される目的のうちの１つの名称が携帯電話音出力によって異なる音強度レベルにてメモリーから再生され、検査された個人が、スクリーンに目的を示すことによって目的をその名称と相関させるか、またはキーパッドを通じて聞こえた目的の名称を入力して、検査プログラムによってこの相関の正しさを評価する請求項１、２または３に記載の携帯電話。
【請求項２３】
携帯電話に内蔵された、またはそれに付着された光源からの非平行の狭い光線が、音強度が較正された耳からの特定の距離に携帯電話が置かれた場合に、検査された個人の顔または耳にて見える唯一つのドットを交点において作り出す請求項１、２または３に記載の携帯電話。
【請求項２４】
携帯電話メモリーに保存された複数の単色または多色ピクチャー、記号、文字および数が携帯電話スクリーンに表示されて、視覚検査を行う請求項１、２または３に記載の携帯電話。
【請求項２５】
スクリーンに表示された文字、言語または数が読まれ、検査された個人によって携帯電話メモリーにキー入力されて、検査プログラムによって肯定的および否定的回答を記録し、それを解析する請求項２４に記載の携帯電話。
【請求項２６】
種々の色の非英数字記号および特殊パターンピクチャーが、検査された個人が相関させ、キーパッドを通じて記録して、検査プログラムによって解析される対応する数字、文字または名称と一緒にスクリーンに表示される請求項２４に記載の携帯電話。
【請求項２７】
外部、または携帯電話に付着された伸縮自在ロッド、テープまたは距離測定センサーによって測定された、検査された個人の目および携帯電話スクリーンの間の距離が、携帯電話を保持し、かつそのキーパッドを操作する個人の腕の長さを超えない請求項２４に記載の携帯電話。
【請求項２８】
目および携帯電話スクリーンの間の正しい距離が、携帯電話に内臓された、またはそれに付着された距離測定センサーによって示される請求項２４に記載の携帯電話。
【請求項２９】
検査室における光の強度が、携帯電話に内臓されたまたはそれに付着されたフォトセンサーによって測定され、この光強度またはスクリーンの輝度を減少または増加させる推奨がスクリーンに表示されるか、あるいは言語での指示の形態で携帯電話音出力を介して送達される請求項２４に記載の携帯電話。
【請求項３０】
携帯電話音チャネルが補聴器の機能を行う請求項１、２または３に記載の携帯電話。
【請求項３１】
音チャネルがマイクロホン、音量制御、出力増幅器、外部イヤホン、および携帯電話メモリーに保存され、かつ携帯電話ネットワークまたはインターネットを通じて修正されたリスニングプログラムのデータに従って増幅されたシグナルの周波数特性および圧縮を制御するプログラム可能な増幅器を含む請求項３０に記載の携帯電話。
【請求項３２】
補聴器モードから携帯電話モードへの音チャネルのスイッチングが自動的に、またはキーパッドを通じて手動で行われる請求項３１に記載の携帯電話。
【請求項３３】
音チャネルが同時に補聴器および携帯電話機能で用いられる請求項３１に記載の携帯電話。
【請求項３４】
携帯電話メモリーに保存された特殊な音シグナルがインサートイヤホンを通じて耳鳴罹患者の耳に送達される請求項１、２または３に記載の携帯電話。
【請求項３５】
メモリーに保存された耳鳴マスキングで用いられる音シグナルが携帯電話ネットワークまたはインターネットを通じて変更される請求項３４に記載の携帯電話。
【請求項３６】
耳鳴マスカーモードから携帯電話モードへの音チャネルのスイッチングが自動的に、またはキーパッドを通じて手動で行われる請求項３４に記載の携帯電話。
【請求項３７】
マスキング音の変化がメモリーに保存され、かつ携帯電話ネットワークまたはインターネットを通じて更新された治療プログラムに従う請求項３４に記載の携帯電話。
【請求項３８】
内蔵されたエレクトロニックデバイスがラジオ波、電磁波、超音波または赤外リンクを通じて遠隔補聴器の機能およびリスニングプログラムを制御する請求項１、２または３に記載の携帯電話。
【請求項３９】
補聴器の機能およびリスニングプログラムの数が、メモリーに保存され、任意での携帯電話ネットワークまたはインターネットを通じて修正されたデータによって制限される請求項３５に記載の携帯電話。
【請求項４０】
内蔵されたフォトカメラによって撮られた体の部分のイメージが携帯電話メモリーに保存され、臨床評価についての医療専門家にネットワークを通じて転送される請求項１、２または３に記載の携帯電話。
【請求項４１】
メモリーに保存されたプログラムが、体温または環境温度、心臓拍動パターン、呼吸速度、心臓および肺聴診、糖レベル、血圧等のデータをモニターし、測定し、収集するためのセンサー、マイクロホン、電子聴診器等の内蔵されたまたは外部に連結されたデバイスを制御する請求項１、２または３に記載の携帯電話。
【請求項４２】
測定されモニターされたパラメーターが後の検索のために携帯電話メモリーに保存されるか、あるいはリアルタイムでネットワークにより医療専門家に転送される請求項１、２または３に記載の携帯電話。
【請求項４３】
携帯電話プログラムが、心電図のような外部に連結された診断機器を制御し、検査結果が携帯電話ネットワークを通じて医療専門家に送られるか、あるいは携帯電話メモリーに保存される請求項１、２または３に記載の携帯電話。
【請求項４４】
携帯電話が、携帯電話メモリーに保存され、かつリハビリ結果に従って携帯電話ネットワークまたはインターネットを通じて更新されたリハビリプログラムに従って神経筋刺激体のような外部に連結されたリハビリ機器を制御する請求項１、２または３記載の携帯電話。
【請求項４５】
補聴器、電極およびセンサーのような機器の適切な設置を援助する指示が携帯電話スクリーンに表示されるか、あるいはメモリーに保存されたプログラムに従って音出力を通じて送達されるか、あるいは携帯電話ネットワークを通じて遠隔医療専門家から受信される請求項１、２または３に記載の携帯電話。
【請求項４６】
特殊な出力が供されて、外部モニターまたはＴＶセットを連結させて、視聴覚検査を行う請求項１、２または３に記載の携帯電話。
【請求項４７】
携帯電話ケースに付着されるか、または内蔵された拡大鏡を備えた鏡が、携帯電話使用者による顔の皮膚の状態および外観を検査することを可能とする携帯電話。
【発明の詳細な説明】
【技術分野】
【０００１】
本発明は、メモリーに保存された、ネットワーク、インターネットから、または外部デバイスからロードされたプログラムに従って携帯電話によって供されるか、または制御される医療的検査およびリハビリ治療に関する。
【背景技術】
【０００２】
近年、携帯電話は最もポピュラーかつ個人的な道具のうちの１つとなった。ほとんどの各若者およびより年齢のいった個人は毎日の活動で携帯電話を使用する。携帯電話ネットワークのシステムは大変効果的に社会に浸透し、その個々のメンバーに選択的に対応する。この有利な状況は、携帯電話の機能の範囲を拡大することによって単純な医療的検査およびリハビリ治療を行うための設備を多数の人々に提供する機会を作り出す。
【０００３】
特に、限定されるものではないが、聴視覚障害の早期検出のためのスクリーニング手法が本発明から利益を受けることができる。さらに、そのようなスクリーニング手法の有効性はかなり増大するであろう。なぜならば、検査の数およびその実行の時間はしばしば制限されるタイムスケジュールおよび特殊化された医療センターの数によるものではないからである。本発明によると、携帯電話の使用者は、便宜な時に、多くは、医療センターへのコストがかかる訪問をすることなく家庭において自分および家族のメンバーのために基本的な医療的検査およびリハビリ治療を行うことができる。
【発明の開示】
【発明が解決しようとする課題】
【０００４】
本発明によると、携帯電話適用の機能的拡大は聴覚障害の初期検出のためのスクリーニング手法によって全くカバーされていない、または不充分にしかカバーされていない赤ん坊および子供に有益であろう。
【０００５】
遅い検出は子供の発育をかなり遅らせ、将来の生活に影響する。
【０００６】
赤ん坊および年少の子供において聴覚障害を早期に検出するための現在のスクリーニング方法の有効性はいくつかの国においては不充分であるかまたは存在しない。
【０００７】
非常に年少の子供における聴覚障害の初期検出は技術、特にデジタルエレクトロニクスおよびコンピューティングにおけるかなりの進歩にも拘わらず、臨床医にとって依然として大きな課題である。
【０００８】
これは、検査の実行を特殊センターに制限する臨床的方法における長い停滞に由来し、かなり有能な専門家がそのような検査を行わなければならなかった。これは、検査適用を人口の限られた群のみに制限する検査および不充分なスクリーニング効率に高いコストを課す。従って、全ての赤ん坊が適時に検査される機会を有するのではなく、通常、環境音および人々声に対する赤ん坊の貧弱な反応を心配する親によって赤ん坊は特殊な聴覚学センターに運ばれる。この訪問は、音刺激に関連する脳中心の発育のための非常に重要な時を既に赤ん坊が過ごした後であり、その時点では通常遅すぎることが多い。
【０００９】
感覚系の統合は外部の刺激に依存している。遮断研究は、結論として、感覚ニューロンの構造的発達ならびにその機能的結合性には感覚刺激が必要であることを示した（Ｗｅｂｓｔｅｒ  ＆  Ｗｅｂｔｅｒ，１９９７）。
【００１０】
子供の発育についての研究は、特に０歳ないし２歳の間での適切な感覚刺激が、後年における適当な発育で非常に重要であることを示した（Ｒｏｓｓ，Ｂａｃｋｅｔ  ＆  Ｍａｘｏｎ，１９９１）。
【００１１】
もし赤ん坊が音源の方にその頭を向ければ、それは赤ん坊が聴くことができることを意味するのみならず、聴覚ニューロンおよび運動ニューロンの間の適切な結合性が重要な時期に確立されたことを意味する。数ヶ月齢に過ぎない赤ん坊の聴覚スクリーニングに対する現在の方法は以下の欠点を有する：
ａ／赤ん坊は特殊聴覚センターに搬送されなければならず、一人以上の親がこの訪問のために特別な時間および手段を捧げなければならない。
【００１２】
ｂ／新しい見知らぬ環境において、赤ん坊は検査者にめったに協力せず、検査は余りにも長時間を要すか、もしくは最初の訪問の間には完了することができない。
【００１３】
ｃ／検査は、検査を行うのに高度に特殊化され、高価な装置および専門家の関与を必要とし、センターでの患者の効率は不充分なものである。
【００１４】
ｄ／これらのセンターは大量スクリーニングプログラムについてのサービスを提供することができず、一般的には、親またはかかりつけの医師によって聴覚の問題を有すると既に知らされた赤ん坊のみを検査し、通常、これは起こるのが遅すぎることが多い。
【００１５】
新生児聴覚スクリーニングについてのオーストラリア合同声明、Ａｄｅｌａｉｄｅ、２００１年３月は「関連危険因子を有することが知られた幼児のみをスクリーニングするセンターにおける聴覚障害の診断の平均年齢は２４ヶ月と推定されている。オーストラリア聴覚(協会)からのデータは、最もひどい聴覚障害（＞９０ｄＢ）を持つ子供の検出における平均年齢は１２ヶ月および１８ヶ月の間であり、他方、軽い聴覚損失（＜４０ｄＢ）を持つ子供の平均年齢は７才程度である。効果的で普遍的な新生児聴覚スクリーニングは、新生児スクリーニングを受けていない、または後の年齢で永久的な聴覚喪失が起こった子供において聴覚障害を検出するための聴覚挙動および言語の発達の用心および継続的な監視に対する必要性に取って代わるものではないと述べている。
【００１６】
普遍的な新生児聴覚スクリーニングの計画および実行は、世界中の多くの国において主な努力であり、そのいずれの国においても完了しておらず、実行において多少の差がある程度であり、依然として、特殊センターに制限されている。
【００１７】
また、より特殊な検査を医療センターで行うことができる前に聴覚問題の最初のインジケーターとしての子供および成人のための家庭での聴覚検査で用いることができる較正されたホームデバイスが不足している。
【００１８】
本発明によると、携帯電話は、携帯電話使用者によって視覚障害の早期検出で用いることもできる。
【００１９】
統計によると、世界中で盲目の人は、約４５００万人であり、視力の低い人は約１億３５００万人である。
【００２０】
オーストラリアでは、盲目の人は６万人、および視覚に障害のある人が４０万人いる。
【００２１】
視覚障害の早期検出は最良の予防方法である。目の状態の早期診断は視覚を助け、視覚低下でさえ的確な視覚訓練およびリハビリで有用であり得る。
【００２２】
あいにくと、視覚障害の早期検出のための、社会の各メンバーに対する視覚検査で利用できる正規のスクリーニングプログラムおよび単純なツールはない。
【課題を解決するための手段】
【００２３】
本発明によると、携帯電話を視覚の大量スクリーニングのために修正することができる。今日、携帯電話は、益々増大する数の携帯電話使用者の種々の要求を支える個人的なアイテムとなっている。
【００２４】
本発明によると、それは、携帯電話使用者が特殊センターへのコストがかかる訪問なくして視覚スクリーニングの目的でいつでも自分自身で自分の電話を用いることを可能とする。
【００２５】
本発明によると、携帯電話の機能のさらなる拡大は、補聴器および耳鳴マスカー使用者に役に立つことができる。減税の携帯電話ケースの小型化や、ブローチの形態の電話を付着させ、または電話を上側ポケットにいれるための設備は、それを、その基本的機能を拡大して、補聴器、耳鳴マスカーおよび外部補聴器についての遠隔制御の機能を実行するのに便宜なものとする。耳に差し込んだイヤホン付きの携帯電話のポピュラーな使用は、個人のハンディキャップを明瞭に示す別の補聴器または耳鳴マスカーの使用よりも外見上かなり許容される。さらに、内蔵された補聴器、耳鳴マスカーまたは外部補聴器のための遠隔制御を実行するための携帯電話メモリーに保存されたプログラムは携帯電話ネットワークを通じて容易に修正し、更新して、個人の聴覚要望に最良に適合させるか、または耳鳴マスキング治療における方針を最適化することができる。
【００２６】
本発明によると、修正された携帯電話音チャネルは、別の補聴器を用いる必要性なくして、特殊なイヤホンを介してスピーチを聞き取り困難な個人の耳への送達をむ、増幅された環境のノイズを、プログラム可能な増幅器を介して送達する。
【００２７】
補聴器モードから通常の携帯電話通信への変化は入力ラジオシグナルによって自動的に行われるが、携帯電話キーパッドを通じて使用者により手動でなされる。
【００２８】
本発明による携帯電話機能のもう一つの拡大において、携帯電話機能は単一トーン、白色ノイズ、耳鳴罹患者用の温和な環境ノイズのような複数の特殊な音を供する。
【００２９】
携帯電話メモリーに記録されるか、あるいは耳鳴治療における臨床的プログラムおよび方針に従ってネットワークからロードされ、任意で更新されたこれらの特殊なノイズは、インサートイヤホンを通じて携帯電話音出力から耳鳴に冒された個人の耳に送達される。
【００３０】
耳鳴マスキングモードから通常の携帯電話通信への変化は、操作の送信/受信モードが選択されている場合には自動的に行われ、あるいは携帯電話キーパッドを通じて使用者によって手動で行われる。
【００３１】
本発明による携帯電話機能のもう一つの拡大において、携帯電話は、補聴器使用者によって使用され、しばしば、家を出る際に使用者が持っていくのを忘れる遠隔制御ボックスの代わりに外部補聴器のパラメーターを制御する。
【００３２】
一般的な遠隔制御ユニットは、補聴器にスイッチをいれ／スイッチを切り、その音量を変化させ、および与えられた音環境に最も適したリスニングプログラムを選択するための設備を提供する。
【００３３】
携帯電話に内蔵されたそのような遠隔制御ユニットは欠けている遠隔制御ボックスを複製し、また、本発明によると、それは、携帯電話ネットワークを通じて再度プログラミングされて、補聴器使用者に、該使用者の要求に最も適したリスニングプログラムの更新された選択を供することができる。
【００３４】
本発明によると、携帯電話機能のさらなる拡大は、一般的には、体温または環境温度につき、心臓拍動速度および呼吸速度をモニターするのに、心臓および肺聴診につき、血糖レベルにつき、および圧力測定で用いられる内臓されたまたは外部に連結されたデバイスを制御するのを、また、神経筋刺激体のようなリハビリで用いられるデバイスを制御するのを可能とする。
【発明を実施するための最良の形態】
【００３５】
好ましい具体例および方法の詳細な記載において、本発明をさらに説明する。
【００３６】
一般的な携帯電話においては、メモリーバンクから異なるリングシグナルを予め選択することができ、その音量は、携帯電話に内蔵されたキーパッドを用いてオペレーターが所定のレベルに設定する。
【００３７】
図１に示された発明によると、狭い周波数バンドまたは単一の周波数トーンに制限される複雑な音が、通常の携帯電話におけるリングシグナルと同一の方法で、携帯電話電子回路２のメモリーバンク１にデジタル形式で保存される。
【００３８】
携帯電話の出力スピーカー３において示されるこれらの音の強度レベルは、携帯電話に既に組み込まれた音量制御によって設定されるが、聴覚検査を行う目的では、これらの強度は、携帯電話スピーカー３および患者の耳５の間の特定の距離４に対して聴覚閾値レベル（ＨＴＬ）のｄＢスケールにて本発明に従って較正される。
【００３９】
本発明によると、３つの操作モードが可能である：
ａ／検査者によって近似的にのみ見積もられる特定の距離４において手動により音を「オン」にし、作動させる。
【００４０】
ｂ／携帯電話を正しい位置に置いた場合に、特定の距離４においてのみ自動的に音を「オン」にし、作動させる。
【００４１】
ｃ／携帯電話を特定の距離４においた場合のみに、所望の時刻において手動により音を「オン」し、作動させる。
【００４２】
第1の操作モードにおいて、検査者は、携帯電話を特定の距離４に近いかまたは等しいと推定する距離に位置させ、ボタン７を押して、検査に先立って検査者によって選択された携帯電話メモリー１に保存された検査音を「オン」にし、作動させる。
【００４３】
第２の操作モードにおいて、距離測定センサー８は、制御シグナルを、その第2入力が参照シグナルＶｒｅｆを受信するコンパレーター９の一つの入力に送る。携帯電話が患者の耳５から特定の距離４に置かれた場合、コンパレーター９の双方の入力シグナルは同一であるべきであり、従って、位置「ａ」に設定された切替スイッチＳＷ１を通ったコンパレーター９からの出力シグナルを携帯電話複合回路２に送達して、検査音を「オン」にし,作動させる。加えて、コンパレーター９の出力から制御された光インジケーター１０は携帯電話の正しい位置を確認する。この操作モードにおいては、音および光インジケーターは、共に、患者の耳５からの携帯電話スピーカー３の距離が特定の距離４と同一であれば、自動的に「オン」とされる。
【００４４】
第３の操作モードにおいて、スイッチＳＷ１は位置「ｂ」に設定される。携帯電話が特定の距離４に位置すれば、光インジケーター１０のみが「オン」とされ、オペレーターに患者の耳５およびスピーカー３の間の正しい距離を示す。検査音は、所望の時刻に、スイッチＳＷ２を閉じるボタン１２を押すことによって、後に患者に送達することができるが、但し、携帯電話の位置はほぼ変わらず、光インジケーター１０は「オン」のままであるとする。第２および第３の操作モードにおいては、距離測定センサー８の作用は、患者の耳５に送達された検査音の強度が特定の距離４における較正要件を満たすであろうことを確実なものとする。
【００４５】
患者自身が聴覚を検査するには、携帯電話キーパッド６を用い、患者が特定の距離４および操作モードから聞きたい音刺激のタイプ、その強度レベルを選択しなければならない。
【００４６】
患者の耳５からこの距離に携帯電話を保持しつつ、患者は「オン」スイッチ７を押して、第1の操作モードにおいて、音を「オン」にし、作動する。
【００４７】
与えられた周波数バンドまたは単一のトーンにつき、検査者は、キーパッド６を用いて刺激の強度レベルを変更して、患者が聞くことができる音刺激の最低レベルが何であるかを見つけ出すことができる。その後、患者はこのレベルを外部オーディオグラム形態にマークするか、あるいはキーパッド６によって制御された電子ポインターを用い、患者はこのポイントを表示ウインドウ１３に示されたオーディオグラムにマークする。もし第２の操作モードが患者によって選択されたならば、患者は、耳の外の耳レベルにおいて、および検査音が自動的に生じる特定の距離４において携帯電話を移動させなければならない。
【００４８】
第３の操作モードにおいて、患者は携帯電話を特定の距離４に位置させ、光インジケーター１０が「オン」となれば患者はボタン１２を押してスイッチＳＷ２を「閉じる」。
【００４９】
本発明による聴覚検査は、オペレーター自身によって行うことができるか、あるいは障害のある個人、年少の子供または赤ん坊の場合には、第２の個人がこれらの３つの操作モードのいずれかで検査を実行することができる。
【００５０】
刺激の周波数および強度等の検査パラメーターの設定、および検査結果の記録は、図２に示された単純な方法で本発明に従って行うことができる。
【００５１】
この図面においては、検査ポイントは、携帯電話のディスプレイ３に示されたオーディオグラムに直接に、キーパッド１および電子ポインター２を用いて選択する。
【００５２】
電子ポインター２およびキーパッド１を用い、音刺激の所望の周波数および強度を、容易な方法で、与えられた検査ポイントにつき、検査に先立って表示されたオーディオグラムで直接に同時に選択することができる。
【００５３】
特定の距離における刺激表示の後、検査者は、刺激が聞こえたか否かに応じて、刺激の周波数および/または強度を変化させるべきか、またはそれを受け入れるべきかを決定する。もし検査者が刺激を聞いたとして受け入れるならば、エンターボタン、またはキーパッド１の他の指名されたキーを入力して、携帯電話メモリーに聴覚検査の結果を保存し、それをオーディオグラムに表示する。
【００５４】
全ての周波数バンドまたは単一のトーンについてこの手法を反復すると、各耳についてのオーディオグラムを形成することが可能となる。
【００５５】
その例として、携帯電話ディスプレイ３は数個の周波数バンド５を示し：垂直面および水平線４における低いＬ、中程度のＭおよび高いＨは、患者の耳および携帯電話スピーカ−７の間の特定の距離についての聴覚閾値レベルのｄＢで表わした刺激強度レベルを示す。
【００５６】
距離測定センサー６はスピーカー７の側に位置させる。光インジケーター８も、通常、スピーカー側に位置させ、小さな子供を検査する場合には、「スイッチを切る」ことができ、携帯電話の後ろに位置するもう１つの光インジケーターを代わりに用いて、検査音に対する代わりに光に対する子供の間違った応答を回避することができる。
【００５７】
電子ポインター２を用い、検査者は、聴覚検査の結果を直接表示されたオーディオグラムにマークし、携帯電話メモリーに検査の最終結果を保存することもできる。保存された聴覚検査結果のデータは携帯電話によって医療センターへ、またはさらなる患者の管理のために遠隔医療ネットワークに送ることができる。
【００５８】
図３に示された本発明のもう１つの具体例において、聴覚検査を行う目的で採用された携帯電話１は、シール５を備えたカプラー４を携帯電話音出力６および患者の頭部７の間に挿入することによって耳３にカップリングさせた出力スピーカー２を有する。
【００５９】
聴覚検査の目的での音響音パターンは、携帯電話リングトーンの組が保存されたのと同様の方法で携帯電話１内部メモリー８に保存することができるか、あるいはそれはリングトーンを慣用化できる作業に従って外部源から携帯電話１内部メモリー８にロードすることができる。
【００６０】
検査音パターン、および聴覚閾値レベルを参照してｄＢスケールで較正したその強度の選択は携帯電話１キーパッド９から制御され、これは、ディスプレイ１０上に示される。検査音パターンおよびその強度を選択した後、次いで、キーパッド９ボタンの１つによって音の存在を作動させ、検査結果を、さらなるデータ処理のために携帯電話内部メモリーに保存することができる。
【００６１】
図４に示された本発明のもう１つの具体例において、携帯電話１は、携帯電話本体２に付着した、患者の耳に挿入され、聴覚検査を行う目的で耳管との直接的な音カップリングを可能とする、使い捨てのイヤーチップ４を備えた反射鏡３を有する。スピーカー５からの検査音は、反射鏡３および耳先端４を通じて患者の耳に送達される。イヤーチップ４は患者の耳管サイズおよび反射鏡３によって形成される全付属品に従って変化させることができ、イヤーチップ４は、携帯電話の通常の操作が要求された場合には取り外すことができる。
【００６２】
図５に示された本発明のもう１つの具体例において、携帯電話には差し込むことができるソケット１、好ましくは、しかし必ずしも必要はないが、イヤーチップ３およびプラグ４を備えた聴力インサートイアホン２が設けられ、これは、ソケット１に差し込まれた場合に、スピーカー５を連結解除し、携帯電話からの出力シグナルを受け、検査音を患者の耳６に送達する。携帯電話が、聴覚検査用のインサートイアホンと共に生産者によって供されると、このイアホンによって生じた検査音の強度は、携帯電話内部キャリブレーターによって聴覚閾値レベルを参照して較正され、そのような強度レベルはキーパッド８によって選択され、ディスプレイ９によって示される。
【００６３】
インサートイアホン２が携帯電話とは別々に購入される場合、それには、個々のインサートイアホンの特徴につき聴覚閾値レベルを参照して各音につき携帯電話を較正するための複合検査音または単一トーンの各周波数バンドに要求される電圧のデータを含む参照表またはバーコードが備えられている。
【００６４】
アナログ値または特殊なコードいずれかで表わされたそのような電圧は、携帯電話キーパッド８を用い、またはバーコード自動データ転送を使用するのを可能とする外部バー読取デバイスに連結された携帯電話デジタル入力を用い、携帯電話デジタル回路７に転送される。
【００６５】
別法として、携帯電話キャリブレーションは、携帯電話ネットワークバンクによって供されるイアホンの特徴のデータでもって、自動的に行われるかまたは更新され、そのコード番号によって認識される個々のインサートイアホンについてのこれらのデータを保存する。
【００６６】
本発明のもう１つの具体例において、図６は、その出力スピーカー２が、電話チューブ４、および耳管６に差し込まれたチップ５によって耳３とカップリングされる、聴力検査を行う目的で採用される携帯電話１のブロックダイアグラムである。電話チューブ４はカプラー８によって携帯電話音出力７に付着される。
【００６７】
聴覚検査の目的での音響音パターンは、電話リングトーンの組が保存されるのと同様の方法で携帯電話１内部メモリー９に保存することができるか、もしくはそれは、モジュール１０が携帯電話電子回路１２および、必ずしも必要ないが、メモリー９と通信するのを可能とするソケット１１に連結された外部モジュール１０からロードすることができる。
【００６８】
検査音のパターン、および聴覚閾値レベルを参照してｄＢスケールで較正されたその強度の選択は、携帯電話１キーパッドから制御され、ディスプレイ１４に示される。検査音パターンおよびその強度が選択された後、キーパッド１３のボタンの１つによって音の存在は作動し、検査結果は、さらなるデータ処理のために携帯電話内部メモリーに保存することができる。
【００６９】
本発明のもう１つの具体例において、図７は、携帯電話１に付着するが、耳介５には触れないロッド４によって制御された耳入口３から距離を置いて置かれた携帯電話１のブロックダイアグラムである。
【００７０】
音レベルメーター６は、携帯電話１から送達された耳入口３近くで音強度レベルを測定する。
【００７１】
キーパッド７のタイプおよび各検査音の音量を選択し、耳入口３に近づく音強度をｄＢにて較正し、これらのレベルを携帯電話１メモリー８に保存することができる。次いで、検査音のタイプおよびその較正された強度はディスプレイ９から読み出すことができる。
【００７２】
前記のように携帯電話が較正された後、ロッド４によって制御された一定距離２にて、耳に対して較正された検査音を示す聴覚検査を行うことができる。
【００７３】
市販の音レベルメーター６の代わりに、図２に記載された特殊な個人音レベルインジケーターを用いて、検査音の強度を較正することができる。
【００７４】
図８に示されたもう１つの具体例において、個人音レベルインジケーター１は、２０ｄＢ、３０ｄＢ、４０ｄＢなどのような１つ以上の音強度レベルを示すために、内蔵されたマイクロホン２および１つ以上の光インジケーター３を有する。
【００７５】
色、形状または他のインジケーターに対する設置位置が異なる光インジケーターの１つを用いて、マイクロホン２によって受信された音が個人インジケータースケールの最大レベル、またはスクリーニング手法で一般的には使用される所定の単一レベルを超える強度を有することを示す。
【００７６】
個人音インジケーター１は、特殊なホック５または一般的なヘッドバンドによって耳４に付着させることができる。また、それは耳４または小さなブローチのように髪の毛にクリップ止めすることもできるか、あるいはそれは耳管６に差し込むことができ、特殊な開口を通じて音のために自由な入口を供する。
【００７７】
自己聴覚検査においては、耳管６近くに設置された音インジケーター１を備えた個人は、音提示の間はそのインジケーターが「オン」となっている、その顔の前面に設置された鏡で観察し、耳管６に近づく音のレベルを評価することができる。該鏡の代わりに、外部光インジケーター４または特殊なメーターを個人の音インジケーター１に差し込むことができ、便宜には、個人の前面に置くことができる。
【００７８】
別法として、その光インジケーター３と共に個人音インジケーター１は個人の前面に設置することができ、マイクロホン２のみを耳管６の近くに設置するか、あるいは該管に差し込む。所望のレベルの検査音は、耳管６および携帯電話スピーカー８の間の距離７を変化させることによっておよび／または携帯電話１音量制御を調整することによって設定することができる。携帯電話からの検査音を提示しつつ、同時に距離７を変化させ、光インジケーター１を観察することによって、いずれの音強度レベルで自分が検査音を聞くことができるか、または聞くことができないかを見出すことができる。
【００７９】
携帯電話９は、リングトーンの中でも、動物、鳥類などの環境濾過音のような単一トーンまたは複合音の形態の複数の特殊な聴覚検査シグナルをそのメモリー１０に保存してある。
【００８０】
聴覚検査シグナルは、インターネットからの、または携帯電話９電子回路１３に連結された、ソケット１２に差し込まれた外部デバイス１１からの、ラジオリンクを通じて携帯電話メモリー１０にロードすることができる。ラジオ、赤外または超音波リンクを通じて、外部デバイス１１からの検査音データのローディングは、本発明の原理を変化させない。また、検査音は、携帯電話使用者が携帯電話キーパッドを用いて自分自身のリングトーンを較正することができるのと同様な方法で、該使用者が較正することもできる。この場合、携帯電話ディスプレイ１４にプリントされるか、または表示された、あるいはインターネットから入手可能なさらなる指示を携帯電話使用者に提供して、もし音スペクトルがより正確に規定されなければならないならば、特に複雑な音については、使用者が検査シグナルを較正するのを助ける。また、特に赤ん坊および年少の子供における聴覚スクリーニングテストで、個人音インジケーターおよび携帯電話を用いることもできる。この場合、携帯電話を保持する第二の個人は傍らから赤ん坊に近づき、光インジケーターおよび検査音に対する赤ん坊の反応を観察する。
図９に示されたもう１つの具体例において、その光インジケーター２と共に個人音レベルインジケーター１を携帯電話３に付着させ、それは、個人音レベルインジケーター１に連結された距離ロッド４の端部にマイクロホン５を備えたこのロッド４を有する。スピーカー出力７および耳管８の間の一定距離６は、該ロッド４の長さによって制御される。キーパッド７を用い、メモリー１０に保存された検査音のタイプを選択し、音量制御を通じて、光インジケーター２の表示に従って音強度レベルを調整することができる。
【００８１】
図１０に示されたもう１つの具体例において、耳１および携帯電話２の間の特定の距離は、耳１の入口近くに、マイクロレーザーダイオードまたは他の集光エミッター等の光源６および７によって送られた２つの狭い光線４および５の交点によって形成される可視光ドット３を作り出すことによって推定することができる。特定の距離においては、唯一つのドット３が目に見え、これは、耳１と音モジュールまたは携帯電話２との間の適切な距離を示す。そうでなければ、２つの光ドットが目に見える。検査者は音モジュールまたは携帯電話２を耳１まで移動させて、唯一つのドットが得られ、次いで、検査者によって検査音は「スイッチを入れられ」、スピーカー８から耳１に送達されて、聴覚を検査する。
【００８２】
本発明によると、携帯電話の使用者は、視覚スクリーニングの目的で自分の電話を用いることもできる。携帯電話システムおよびそのソフトウェアプログラムに取り込むことができる多数の視覚検査がある。コントラスト感度および色識別についての基本的な検査の２つの例を示すが、携帯電話を用いて実行することができる複数の検査を限定するものではない。視覚検査を行うためには、まず、携帯電話のスクリーンと個人の目との間の距離を測定するのが重要である。
【００８３】
これを図１１に示す。この図面において、携帯電話１は、いくつかの検査では、個人の腕の全長に対応し得る特定の距離２にて、視覚検査を実行する個人によって保持される。検査される個人は、別添のテープ、または携帯電話本体から引き出したミニテープ、伸縮自在のロッド、または一つのロッドピースで、携帯電話スクリーン５と個人の目３との間の距離を測定し、この距離の値を携帯電話キーパッド４を通じて携帯電話ｕプロセッサー制御電子システムにキー入力する。これは、ソフトウェアプログラムに従って、視覚検査の目的でスクリーン５に表示されたピクチャーのサイズを自動的に調整することを可能とする。別法として、距離測定センサー６はスクリーン５に表示されたイメージのサイズを自動的に調整することができ、イメージサイズを制御する携帯電話電子回路に距離に関連するソフトウェアデータを送信する。コントラスト感度検査のための携帯電話スクリーンに表示された一般的なイメージを図１２に示す。この検査においては、円２として携帯電話スクリーン１に示されるイメージは多数の平行線よりなり、これは、垂直に、水平に、または＋または−４５度にて位置させることができる。検査される個人は、円２内の線の位置を同一スクリーン１に表示された記号３のうちの１つと相関させなければならず、携帯電話キーパッドを通じて、同一スクリーン１に表示され、かつ記号３に対して位置決定された数字の組４からの一つの数字をキーで入力しなければならない。
【００８４】
円１中の線の位置および／または密度、ならびに円２のサイズは、組４からの数字がキー入力されるごとに携帯電話メモリーに保存された視覚検査用のソフトウェアプログラムにより自動的に変更される。もし視覚障害を持つ検査される個人が、何が円２中の線の位置であるかが決定されなければ、組４からの数字の代わりに、キーパッドの星印または他の記号を用いることができる。相関の正しい、偽のおよび未決定のスコアを携帯電話メモリーに記録する。円提示の合計数および操作ソフトウェアに含まれた最終結果の解釈は、視覚スクリーニング方法についての医療専門家によって推奨される基準によるものである。この検査の最終合格／不合格の結果は、検査された個人の考慮のために携帯電話スクリーン１に表示され、特殊医療センターへの訪問のようなさらなる行動を推奨する。
【００８５】
図１３に示された色視覚検査についての第二の例において、携帯電話スクリーン３を用いて、正しくない色識別のような色視覚問題を検出する。この検査においては、同一の色の種々の直径および色密度のドットから形成された数字（または文字）２のイメージが、多色、種々のサイズおよび種々の色強度ドットから形成されたバックグラウンド３に示され、携帯電話スクリーン１に表示される。
【００８６】
検査される個人は、バックグラウンド３に対してスクリーン１に表示された数字（または文）１の値を携帯電話キーパッドを通じてキー入力しなければならない。数２の値、そのドットの色およびバックグラウンド３ドットは、特殊なソフトウェアがそのために携帯電話メモリーに保存された認められているスクリーニング方法に従って変化する。
【００８７】
色イメージ提示の合計数および最終結果の解釈は、色視覚スクリーニング方法についての医療専門家によって推奨される基準によるものである。最終の合格／不合格の結果および、最終的に、より詳細なコメントが携帯電話スクリーン１に表示されるか、あるいは、検査される個人の考慮およびさらなる行動のために携帯電話音出力を通じて言葉で送達される。
【００８８】
視覚検査についての示された前記２つの例は、携帯電話で実行することができる他のイメージおよび視覚検査の数を断じて限定するものではない。
【００８９】
例えば、検査される個人のために、種々のサイズの数および／または文字を携帯電話スクリーンで表示して、それらを識別し、それらを携帯電話キーパッドを通じてキー入力することができる。
【００９０】
携帯電話と連結し、視覚検査を行うためのソフトウェアプログラムと共に外部モジュールは、視覚検査の特別のイメージが携帯電話スクリーンに表示され、これらのイメージを見る検査される個人がこれらのイメージに関連する特別の作業を行わなければならず、テストプログラムソフトウェアに従い、最終結果および検査された個人についての推奨を携帯電話スクリーンに提示し、および／または携帯電話メモリーに保存された言葉での指示を携帯電話音出力を通じて送達する、これらの結果の自動的評価についてのこれらの作業の結果を携帯電話キーパッドを通じてキー入力しなければならない本発明の原理を変更しない。もしより大きなスクリーンが必要であれば、携帯電話視覚出力を特殊なＶＤＵまたはＲＦアダプターを通じてＶＤＵモニターまたは家庭のＴＶセットに連結することができる。
【００９１】
図１４に示された本発明のもう１つの具体例において、補聴器は、携帯電話１音チャネルの一部を形成し、ここに、その正常な位置にある切替スイッチ２はマイクロホン３からのシグナルを受け取り、プログラム可能な増幅器４、音量制御５および出力増幅器６を通じて、該シグナルを、聴力に問題のある個人に用いられる外部イアホン７に送達する。プログラム可能な増幅器４は増幅されたシグナルの周波数特徴および圧縮を調整し、これは、メモリー９に保存されたデータに従って携帯電話電子回路８によって制御される。メモリー９に保存されたデータは、携帯電話ネットワークまたはインターネットからの新しいデータをロードして、補聴器音パラメーターを再度プログラムすることによって変更することができよう。
【００９２】
携帯電話を通常の送信/受信モードで用いる場合、切替スイッチ２は電子回路８によってその第二の位置にスイッチングされて、ネットワークから来る音シグナルを受信する。この操作モードにおいて、ネットワークから来るシグナルは、プログラム可能増幅器４、容量制御５、出力増幅器６および外部イアホン７を含む補聴器チャネルによって処理される。切替スイッチは、携帯電話を送信/受信モードに設定している場合には電子回路８によって自動的にスイッチングされるか、あるいは使用者が補聴器のスイッチを切るように決めた場合には、携帯電話キーパッド１０を通じて手動でスイッチングされる。
【００９３】
図１５に示される本発明のもう１つの具体例において、その正常な位置に示される切替スイッチ１は、耳鳴マスキングの目的でメモリー２に保存された白色ノイズ、トーンまたは環境音のような特殊なシグナルを処理する。次に、スイッチ１からのシグナルを、音量制御３および出力増幅器４を通じて、耳鳴罹患者によって用いられる外部イアホン５に送達される。携帯電話がその送信/受信操作のモードに設定されている場合、携帯電話６の内部電子回路７はスイッチ１の位置を自動的に変化させて、この操作モードを行う。
【００９４】
送信/受信モードから耳鳴マスカーモードへの携帯電話の機能の変化は、携帯電話キーパッド８を通じて手動で行うこともできる。
【００９５】
メモリー２に保存された耳鳴マスキングシグナルのデータは、携帯電話ネットワークまたはインターネットから新しいシグナルについてのもう１つのデータをロードすることによって変化させることができる。
【００９６】
加えて、マスキングシグナルのタイプを周期的に変化させるような治療プログラムのデータはメモリー９に保存され、携帯電話ネットワークまたはインターネットを通じて更新することができる。
【００９７】
図１６に示された本発明のもう１つの具体例において、一般的には、補聴器の機能およびリスニングプログラムを選択するのに用いられる遠隔制御ユニット１は携帯電話２に内蔵される。制御ユニット１は、ラジオ波出力４、磁気または超音波トランスジューサー５または赤外トランスジューサー６を通じて遠隔補聴器と通信することができる。
【００９８】
補聴器の機能またはリスニングプログラムの選択は、携帯電話電子回路８に連結した携帯電話キーパッド７を通じて行われる。メモリー９は、遠隔ユニット１および電子回路８を通じて所望のリスニングプログラム、およびマイクロホン、テレコイル、音量レベルおよびオン／オフ操作モードのような補聴器機能を選択するのを可能とする多数のコマンドを保存する。携帯電話ネットワークもしくはインターネットを通じて多数のコマンドを任意に変更または更新することができる。
【００９９】
図１７に示される本発明のもう１つの具体例において、多数の外部測定およびモニタリングデバイスＤ１、Ｄ２、Ｄ３…Ｄｎを個々に携帯電話１の外部ソケットに連結して、インターフェイス３によって制御させ、メモリー４に保存された携帯電話検査またはリハビリプログラムは携帯電話電子回路５の一部である。別法として、これらの外部デバイスはアナログまたはデジタルデータを、さらなる処理のためのその作用の結果として、携帯電話に送る。
【０１００】
体温または環境温度、心臓拍動速度および肺呼吸速度、血糖または圧力を測定する、心臓または肺補聴をモニタリングし、神経筋刺激体等での治療を制御する種々のタイプのデバイスを、標準的なインターフェイシング規則に従ってインターフェイス３を通じて携帯電話とインターフェイスを接続することができる。
【０１０１】
メモリー４に保存された検査またはリハビリプログラムは、携帯電話ネットワークまたはインターネットを通じて変化させ、または更新される。
【図面の簡単な説明】
【０１０２】
【図１】図１は、検査される耳に面する内蔵距離測定センサーおよびインジケーターを備えた携帯電話の簡略図である。
【図２】図２は、オーディオグラムおよび電子ポインターがスクリーンに表示される携帯電話の正面図である。
【図３】図３は、音検査刺激を送達するための耳に付着された携帯電話音出力および超聴覚カップラーを示す簡略図である。
【図４】図４は、音検査刺激を送達するために耳に差し込まれた携帯電話音出力およびインサート耳カプラーを示す簡略図である。
【図５】図５は、音検査刺激を送達するために耳管に差し込まれた特殊なインサートイアホンを装備した携帯電話の簡略図である。
【図６】図６は、音検査刺激を検査される耳に送達するチューブホンが付着された携帯電話の簡略図である。
【図７】図７は、携帯電話によって検査耳に送達され、伸縮自在ロッドによって設定された距離に置かれた音検査刺激強度を制御し、それを較正するための音レベルメーターを示す簡略図である。
【図８】図８は、任意の外部インジケーターと共に耳に直接に付着された個人音レベルを示す簡略図である。
【図９】図９は、付着された音レベルメーターを備えた携帯電話および内蔵されたマイクロホンを備えた距離測定伸縮自在ロッドの簡略図である。
【図１０】図１０は、検査される耳近くの地点で交差する数個の狭い光線に基づく、携帯電話に付着されまたは内蔵された距離評価デバイスの図である。
【図１１】図１１は、検査される目と携帯電話スクリーンとの間の正しい距離を設定するための内蔵された、または付着されたインジケーターを備えた携帯電話の図である。
【図１２】図１２は、視覚検査のための携帯電話キーパッドの使用を容易とするための、視覚検査パターンと関連英数字記号との間の相関の例である。
【図１３】図１３は、色視覚検査のために携帯電話スクリーンに表示された視覚検査パターンの例である。
【図１４】図１４は、補聴器機能を追加として実行するために修正された音チャネルを備えた携帯電話の簡略化ブロックダイアグラムである。
【図１５】図１５は、耳鳴マスカー機能を追加として実行するために修正された音チャネルを備えた携帯電話の簡略化ブロックダイアグラムである。
【図１６】図１６は、補聴器の内蔵遠隔制御を備えた携帯電話の簡略化ブロックダイアグラムである。
【図１７】図１７は、携帯電話メモリーに保存されたプログラムによって制御される医療検査またはリハビリのための任意の連結された外部デバイスを備えた携帯電話の簡略ブロックダイアグラムである。
【図１】
2005519686.tif 000003
【図２】
2005519686.tif 000004
【図３】
2005519686.tif 000005
【図４】
2005519686.tif 000006
【図５】
2005519686.tif 000007
【図６】
2005519686.tif 000008
【図７】
2005519686.tif 000009
【図８】
2005519686.tif 000010
【図９】
2005519686.tif 000011
【図１０】
2005519686.tif 000012
【図１１】
2005519686.tif 000013
【図１２】
2005519686.tif 000014
【図１３】
2005519686.tif 000015
【図１４】
2005519686.tif 000016
【図１５】
2005519686.tif 000017
【図１６】
2005519686.tif 000018
【図１７】
2005519686.tif 000019
【国際調査報告】
2005519686.tif 000020
2005519686.tif 000021
2005519686.tif 000022